(57)【特許請求の範囲】
【請求項１】
室内に配置される空気清浄機と、電気掃除機と、
前記空気清浄機の信号の送受信を無線で行う空気清浄機通信部と、
前記電気掃除機の信号の送受信を無線で行う電気掃除機通信部と、
前記空気清浄機と前記電気掃除機の信号の送受信を無線で行う通信装置で構成され、
前記電気掃除機通信部は、前記電気掃除機が運転を開始した場合に、電気掃除機運転信号を送信し、
前記通信装置は、前記電気掃除機運転信号を受信した場合に、空気清浄機停止指示信号を送信し、
前記空気清浄機通信部は、前記空気清浄機停止指示信号を受信した場合に、前記空気清浄機の運転を停止し、
また、前記電気掃除機通信部は、前記電気掃除機が運転を停止した場合に、電気掃除機停止信号を送信し、前記通信装置は、前記電気掃除機停止信号を受信した場合に、空気清浄機運転指示信号を送信し、前記空気清浄機通信部は、前記空気清浄機運転指示信号を受信した場合に、所定の時間を空けてから前記空気清浄機の運転を開始し、前記所定の時間は、部屋の大きさ又は掃除頻度によって変更可能な室内空気質制御システム。
【請求項２】
前記空気清浄機は、室内のほこりなどを検出するほこりセンサを備え、
前記空気清浄機通信部が前記空気清浄機運転指示信号を受信した場合に、前記空気清浄機が所定の時間運転するとともに、前記ほこりセンサによって室内のほこり濃度を検出し、検出したほこり濃度に従って運転継続・停止を決定する請求項１に記載の室内空気質制御システム。
【発明の詳細な説明】
【技術分野】
【０００１】
本発明は、一般家庭や事務所等で使用される空気清浄機の制御方法に関するものである。
【背景技術】
【０００２】
従来、この種の室内空気質制御システムは、電気掃除機が運転を開始した場合に空気清浄機に対し運転信号を送信するものが知られている（例えば、文献１参照）。
【０００３】
以下、その室内空気質制御システムについて図を参照しながら説明する。
【０００４】
図４に示すように、空気清浄機１０１は、空気清浄機制御部１０２と空気清浄機１０１の信号の受信を無線で行う空気清浄機通信部１０３を備えている。
【０００５】
電気掃除機１１１は、電気掃除機制御部１１２と電気掃除機１１１の信号の送信を無線で行う電気掃除機通信部１１３を備えている。
【０００６】
従来の室内空気質制御システムは、電気掃除機１１１が運転を開始した場合に、電気掃除機制御部１１２は電気掃除機通信部１１３に運転信号の送信を指示する。そして、空気清浄機通信部１０３が空気清浄機停止指示信号を受信したことを検知した空気清浄機制御部１０２は、空気清浄機１０１の運転を運転することで、いち早く室内のほこりなどを集塵するというものである。
【先行技術文献】
【特許文献】
【０００７】
【特許文献１】特開平１−１８０２１５号公報
【発明の概要】
【発明が解決しようとする課題】
【０００８】
このような従来の室内空気質制御システムにおいては、空気清浄機と電気掃除機が同時に運転する構成になっていたので、空気清浄機からの送風が床面に堆積しているほこりなどを舞い上げることがある。すなわち、掃除機で吸い取れるはずのほこりなどを舞い上げて空気清浄機が捕集すると言う、無駄な運転をしていた。
【０００９】
そこで本発明は、上記従来の課題を解決するものであり、電気掃除機と空気清浄機を連携して運転することにより効率的に室内のほこりなどを捕集することを目的とする。
【課題を解決するための手段】
【００１０】
そして、この目的を達成するために、本発明の室内空気質制御システムは、室内に配置される空気清浄機と、電気掃除機と、空気清浄機の信号の送受信を無線で行う空気清浄機
通信部と、電気掃除機の信号の送受信を無線で行う電気掃除機通信部と、空気清浄機と電気掃除機の信号の送受信を無線で行う通信装置で構成され、電気掃除機通信部は、電気掃除機が運転を開始した場合に、電気掃除機運転信号を送信し、通信装置は、電気掃除機運転信号を受信した場合に、空気清浄機停止指示信号を送信し、前記空気清浄機通信部は、前記空気清浄機停止指示信号を受信した場合に、前記空気清浄機の運転を停止し、また、前記電気掃除機通信部は、前記電気掃除機が運転を停止した場合に、電気掃除機停止信号を送信し、前記通信装置は、前記電気掃除機停止信号を受信した場合に、空気清浄機運転指示信号を送信し、前記空気清浄機通信部は、前記空気清浄機運転指示信号を受信した場合に、所定の時間を空けてから前記空気清浄機の運転を開始し、前記所定の時間は、部屋の大きさ又は掃除頻度によって変更可能なものであり、これにより所期の目的を達成するものである。
【発明の効果】
【００１１】
本発明によれば、電気掃除機通信部は、電気掃除機が運転を開始した場合に、電気掃除機運転信号を送信し、通信装置は、電気掃除機運転信号を受信した場合に、空気清浄機停止指示信号を送信し、前記空気清浄機通信部は、前記空気清浄機停止指示信号を受信した場合に、前記空気清浄機の運転を停止することで、空気清浄機からの送風が止まるため、床面に堆積しているほこりなどを空気中に舞い上げることを抑制する。これにより、電気掃除機で吸い取れるはずのほこりなどを空気清浄機が運転することなく電気掃除機で捕集するため、効率的に室内のほこりなどを捕集することができるという効果を得ることができる。
【図面の簡単な説明】
【００１２】
【図１】本発明の実施の形態１の室内空気質制御システムの構成図
【図２】本発明の実施の形態１の処理を示すフローチャート
【図３】同実施の形態１の処理を示すフローチャート
【図４】従来の室内空気質制御システムの構成図
【発明を実施するための形態】
【００１３】
本発明の請求項１記載の室内空気質制御システムは、室内に配置される空気清浄機と、電気掃除機と、前記空気清浄機の信号の送受信を無線で行う空気清浄機通信部と、前記電気掃除機の信号の送受信を無線で行う電気掃除機通信部と、前記空気清浄機と前記電気掃除機の信号の送受信を無線で行う通信装置で構成され、前記電気掃除機通信部は、前記電気掃除機が運転を開始した場合に、電気掃除機運転信号を送信し、前記通信装置は、前記電気掃除機運転信号を受信した場合に、空気清浄機停止指示信号を送信し、前記空気清浄機通信部は、前記空気清浄機停止指示信号を受信した場合に、前記空気清浄機の運転を停止するという構成を有する。これにより、前記空気清浄機の送風が止まり、床面に堆積しているほこりなどを空気中に舞い上げることを抑制する。そのため、電気掃除機で吸い取れるはずのほこりなどを空気清浄機が運転することなく電気掃除機で捕集するため、効率的に室内のほこりなどを捕集することができるという効果を奏する。
【００１４】
また、前記電気掃除機通信部は、前記電気掃除機が運転を停止した場合に、電気掃除機停止信号を送信し、前記通信装置は、前記電気掃除機停止信号を受信した場合に、空気清浄機運転指示信号を送信し、前記空気清浄機通信部は、前記空気清浄機運転指示信号を受信した場合に、所定の時間を空けてから前記空気清浄機の運転を開始するという構成にしてもよい。これにより、前記電気掃除機の排気風や、掃除を行う人の動きなどにより室内のほこりなどが空気中に舞い上げられたことで、前記電気掃除機では捕集できなかったほこりなどを効率的に前記空気清浄機で捕集することができるという効果を奏する。
【００１５】
また、前記空気清浄機は、室内のほこりなどを検出するほこりセンサを備え、前記空気清浄機通信部が前記空気清浄機運転指示信号を受信した場合に、前記空気清浄機が所定の時間運転するとともに、前記ほこりセンサによって室内のほこり濃度を検出し、検出したほこり濃度に従って運転継続・停止を決定するという構成にしてもよい。
【００１６】
これにより、空気清浄機が不必要に長時間運転することがなくなるため、室内のほこりを捕集しつつ空気清浄機の無駄な消費電力を削減することができるという効果を奏する。
【００１７】
以下、本発明の実施の形態について図面を参照しながら説明する。
【００１８】
（実施の形態１）
図示しないが、空気清浄機１は、筐体に吹出口、吸込口を設け、内部にファンモータ、集塵フィルタを備えている。図１に示すように、空気清浄機１には、運転と停止や通信の制御を行う空気清浄機制御部２と、空気清浄機１の運転、停止などの信号の送受信を無線で行う空気清浄機通信部３を備えている。この空気清浄機１は、吹出口から空気を吹き出し、室内の空気を循環させることにより、床面に堆積しているほこりなどを舞い上げる。そして、吸込口から集塵フィルタを通して空気を吸い込むことにより、空気中に舞い上げられたほこりなどを捕集するものである。
【００１９】
図示しないが、電気掃除機１１は、筐体に吹出口、吸込口設け、内部にファンモータ、集塵フィルタを備えている。また、図１に示すように、電気掃除機１１の運転と停止や通信の制御を行う電気掃除機制御部１２と、電気掃除機１１の運転、停止などの信号の送受信を無線で行う電気掃除機通信部１３を備えている。この電気掃除機１１は、吸込口から集塵フィルタを通して床面の空気吸い込み、吹出口から吸い込んだ空気を吹き出すことにより、床面に堆積しているほこりなどを捕集するものである。
【００２０】
通信装置２１は、空気清浄機通信部３、および、電気掃除機通信部１３と信号の送受信を無線で行うものである。
【００２１】
使用者が掃除を始めるときの各機器の実際の動作を図２のフローチャートを用いて説明する。
【００２２】
電気掃除機１１が運転する（ステップＳ１−１）と、電気掃除機制御部１２は電気掃除機通信部１３に電気掃除機運転信号の送信を指示する（ステップＳ１−２）。通信装置２１は、電気掃除機通信部１３から電気掃除機運転信号を受信する。
【００２３】
次に、電気掃除機運転信号を受信した通信装置２１は、空気清浄機通信部３に空気清浄機停止指示信号を送信する（ステップＳ１−３）。空気清浄機通信部３が空気清浄機停止指示信号を受信すると、この情報は、空気清浄機制御部２に伝達される。そして、空気清浄機制御部２は、空気清浄機１の運転を停止する（ステップＳ１−４）。
【００２４】
これにより、電気掃除機１１の運転中に空気清浄機１の送風が止まるので、床面に堆積しているほこりなどを空気中に舞い上げることを抑制する。そのため、電気掃除機１１で吸い取れるはずのほこりなどを空気清浄機１が運転することなく電気掃除機１１で捕集するため、効率的に室内のほこりなどを捕集することができる。
【００２５】
次に、使用者が掃除を終えたときの各機器の動作を図３のフローチャートを用いて説明する。
【００２６】
電気掃除機１１が停止する（ステップＳ２−１）と、電気掃除機制御部１２は電気掃除機通信部１３に電気掃除機停止信号の送信を指示する（ステップＳ２−２）。通信装置２１は、電気掃除機通信部１３から電気掃除機停止信号を受信する。
【００２７】
電気掃除機停止信号を受信した通信装置２１は、空気清浄機通信部３に空気清浄機運転指示信号を送信する（ステップＳ２−３）。空気清浄機通信部３が空気清浄機運転指示信号を受信すると、この情報は、空気清浄機制御部２に伝達される。そして、空気清浄機制御部２は、所定の時間を空けてから空気清浄機１の運転を開始する（ステップＳ２−４）。ここで、所定の時間を空けてから運転を開始するのは、一般的には、掃除の途中で一時的に電気掃除機１１を停止することがあると考えられるからである。この所定の時間の間に電気掃除機１１が運転を再開して空気清浄機通信部３が空気清浄機停止指示信号を受信すると、空気清浄機１は運転の停止を継続することになる。一方、所定の時間が経過するまでに、空気清浄機通信部３が空気清浄機停止指示信号を受信しなかった場合には、空気清浄機１は運転を開始する。空気清浄機１の運転を開始するまでの所定の時間は、部屋の大きさや、電気掃除機１１の使用頻度によって変更できるとよい。
【００２８】
上記のように、電気掃除機１１が運転を開始すると、通信装置２１が空気清浄機１に対して空気清浄機停止指示信号を送る。従って、電気掃除機１１の運転中には空気清浄機１は停止状態になるので、掃除中に空気清浄機１が埃を舞い上げることがなくなる。一方、電気掃除機１１が吸引した空気を吹出口から吹き出すため、あるいは、人が掃除を行うために動くので、室内では、電気掃除機１１では捕集できなかったほこりなどが舞い上げられた状態になる。そこで、掃除終了時には、電気掃除機停止信号を発信することで、電気掃除機１１で室内の掃除を終えたことを認識する。そして、掃除終了後には、空気清浄機１を運転することによって、空気中に舞い上げられたほこりなどを効率的に空気清浄機１で捕集することができる。
【００２９】
また、空気清浄機１に室内のほこりなどを検出するほこりセンサ４を備え、空気清浄機１が運転を再開したときの運転は、まず所定の時間だけ動作させる予備運転としてもよい。この予備運転の間にほこりセンサ４が室内のほこりなどを検知すると、空気清浄機１は本来の空気清浄運転を開始する。そして、空気清浄運転中に、ほこりセンサ４がほこりなどを検知しなくなれば（ほこりセンサ４の出力が許容値以下になれば）、空気清浄機１の運転を停止する。一方、予備運転によって、ほこりセンサ４がほこりなどを検知しなかった場合には、予備運転終了と共に空気清浄機１は停止となる。予備運転として運転する所定の時間は、部屋の大きさによって変更できるとよい。
【００３０】
このように、空気清浄機１は、所定の時間だけ運転する予備運転を行うことで、不必要に長時間運転することがなく、室内のほこりを捕集しつつ空気清浄機１の無駄な消費電力を削減することが出来る。
【００３１】
なお、電気掃除機通信部１３と空気清浄機通信部３は、通信装置２１を介することなく、直接信号の送受信を行う構成にしてもよい。
【産業上の利用可能性】
【００３２】
本発明にかかる室内空気質制御システムは、電気掃除機と空気清浄機を連携して運転することにより効率的に室内のほこりなどを捕集することを可能とするものであるので、一般家庭や事務所等で使用される空気清浄機の制御方法等として有効である。
【符号の説明】
【００３３】
１  空気清浄機
２  空気清浄機制御部
３  空気清浄機通信部
４  ほこりセンサ
１１  電気掃除機
１２  電気掃除機制御部
１３  電気掃除機通信部
２１  通信装置
１０１  空気清浄機
１０２  空気清浄機制御部
１０３  空気清浄機通信部
１１１  電気掃除機
１１２  電気掃除機制御部
１１３  電気掃除機通信部
【図１】
0006432039.tif 000002
【図２】
0006432039.tif 000003
【図３】
0006432039.tif 000004
【図４】
0006432039.tif 000005